(57)【要約】【課題】  本発明の目的は、ズームトラック機能の有効または無効に切り替わることの確認を駆動ユニットに新規にインジケーターを搭載せずに実現可能とすることにある。【解決手段】  そのために、本発明では、ズームトラック機能の有効または無効に切り替わった際、ズームレンズを自動的にズームトラック機能で設定した光学端の内側の駆動端に駆動させる構成とした。【選択図】  図１
2005018035.tif 000002
【特許請求の範囲】
【請求項１】
テレ端からワイド端まで駆動するズームレンズと、前記ズームレンズの駆動範囲を前記テレ端の内側の第１の駆動端又は／及び前記ワイド端の内側の第２の駆動端に制限する駆動範囲制限機能の有効及び無効を切換える駆動範囲切換手段と、を有するレンズ装置であって、
前記駆動範囲切換手段で前記駆動範囲制限機能が有効に切換わった際、前記ズームレンズを自動的に第１の駆動端又は第２の駆動端に駆動することを特徴とするレンズ装置。
【請求項２】
前記ズームレンズが前記テレ端と前記ワイド端との中点を基準にテレ側の領域に位置する場合は、前記ズームレンズを自動的に第１の駆動端に駆動する請求項１記載のレンズ装置。
【請求項３】
前記ズームレンズが前記テレ端と前記ワイド端との中点を基準にワイド側の領域に位置する場合は、前記ズームレンズを自動的に第２の駆動端に駆動する請求項１記載のレンズ装置。
【請求項４】
前記ズームレンズが前記テレ端と前記ワイド端との間のどの駆動位置に位置していても前記ズームレンズを自動的に第１の駆動端に駆動する請求項１記載のレンズ装置。
【請求項５】
前記ズームレンズが前記テレ端と前記ワイド端との間のどの駆動位置に位置していても前記ズームレンズを自動的に第２の駆動端に駆動する請求項１記載のレンズ装置。
【請求項６】
テレ端からワイド端まで駆動するズームレンズと、前記ズームレンズの駆動範囲を前記テレ端の内側の第１の駆動端又は／及び前記ワイド端の内側の第２の駆動端に制限する駆動範囲制限機能の有効及び無効を切換える駆動範囲切換手段と、を有するレンズ装置であって、
前記駆動範囲切換手段で前記駆動範囲制限機能が無効に切換わった際、前記ズームレンズを自動的に第１の駆動端又は第２の駆動端に駆動することを特徴とするレンズ装置。
【請求項７】
前記ズームレンズが前記テレ端と前記ワイド端との中点を基準にテレ側の領域に位置する場合は、前記ズームレンズを自動的に第１の駆動端に駆動する請求項６記載のレンズ装置。
【請求項８】
前記ズームレンズが前記テレ端と前記ワイド端との中点を基準にワイド側の領域に位置する場合は、前記ズームレンズを自動的に第２の駆動端に駆動する請求項６記載のレンズ装置。
【請求項９】
前記ズームレンズが前記テレ端と前記ワイド端との間のどの駆動位置に位置していても前記ズームレンズを自動的に第１の駆動端に駆動する請求項６記載のレンズ装置。
【請求項１０】
前記ズームレンズが前記テレ端と前記ワイド端との間のどの駆動位置に位置していても前記ズームレンズを自動的に第２の駆動端に駆動する請求項６記載のレンズ装置。
【請求項１１】
請求項１乃至５記載のレンズ装置と、前記レンズ装置に装着されたカメラ装置を備えた撮影装置。
【請求項１２】
請求項６乃至９記載のレンズ装置と、前記レンズ装置に装着されたカメラ装置を備えた撮影装置。
【請求項１３】
ズームレンズと、前記ズームレンズの駆動位置の記憶を指示するメモリ手段と、アイリスと、前記アイリスを自動制御に切換えるアイリス自動切換手段と、を有するレンズ装置であって、
前記メモリ手段と前記アイリス自動切換手段を操作することで前記ズームレンズの駆動範囲を前記テレ端の内側の第１の駆動端又は／及び前記ワイド端の内側の第２の駆動端に設定することを特徴とするレンズ装置。
【請求項１４】
前記メモリ手段と前記アイリス自動切換手段を同時に操作することで前記ズームレンズの駆動範囲を前記テレ端の内側の第１の駆動端又は／及び前記ワイド端の内側の第２の駆動端に設定する請求項１３記載のレンズ装置。
【請求項１５】
前記ズームレンズの駆動範囲を前記テレ端の内側の第１の駆動端又は／及び前記ワイド端の内側の第２の駆動端に制限する駆動範囲制限機能の有効及び無効の切換えは、前記メモリ手段と前記アイリス自動切換手段を前記ズームレンズの駆動範囲を前記テレ端の内側の第１の駆動端又は／及び前記ワイド端の内側の第２の駆動端に設定するために前記メモリ手段と前記アイリス自動切換手段を同時に操作する第１の時間より長い第２の時間同時に操作することにより行われる請求項１４記載のレンズ装置。
【請求項１６】
更に、前記レンズ装置の機能の変更及び機能の割り当てを行う機能割り当て手段を備え、前記機能割り当て手段により前記駆動範囲制限機能の記憶内容を消去する請求項１５記載のレンズ装置。
【請求項１７】
請求項１３乃至１６記載のレンズ装置と、前記レンズ装置に装着されたカメラ装置を備えた撮影装置。
【発明の詳細な説明】
【技術分野】
【０００１】
本発明は、ビデオレンズ、ビデオカメラ、テレビレンズまたはテレビカメラを始めとしたレンズ装置、及びレンズ装置とレンズ装置に装着されたカメラ装置を備えた撮影装置に関するものである。
【背景技術】
【０００２】
近年、ＥＮＧカメラ等の放送用テレビカメラに用いられるズームレンズにおいて、ズームレンズに取り付け可能なズーム操作コントロールアクセサリに搭載されたズームトラック機能により、ズームレンズの駆動範囲に制限値を設定することが可能となっている。この種のズームトラック機能の動作例について、図９〜１３を用いて説明する（特許文献１参照）。
【０００３】
図９〜１３は、従来のズームトラック機能に対応したＥＮＧレンズの概観を示した概観図およびブロック図であり、同図中、１はＥＮＧカメラ等の放送用テレビカメラに用いられるズームレンズであり、２はレンズ鏡胴、３は駆動ユニット、４はフォーカスリング、５はズームリング、６はアイリスリング、７はエクステンダーレバー、８はズームプリセットスピードモード切替レバー、９はフレームプリセットスイッチ、１０はメモリースイッチ、１１は送り返しスイッチ、１２はズーム操作スイッチ、１３はアイリス操作切替スイッチ、１４はアイリス瞬時オートスイッチ、１５はフォーカススピード調整トリマー、１６はアイリスゲイン調整トリマー、１７はズームモード調整トリマー、１８はフォーカス、サーボ／マニュアル切替ノブ、１９，２０はズームリモート＆フォーカスリモート用２０ピンコネクター、２１はズームリモート８ピンコネクター、２２はズームスピード調整ボリューム、２３はズームサーボ／マニュアル切替ノブ、２４はマクロボタン、２５はシャトルショットスイッチ、２６はディップスイッチユニット、２７はＶＴＲスイッチ、２８はディップスイッチＩ、２９はディップスイッチＩＩ、３０はディップスイッチＩＩＩ、３１はディップスイッチＩＶ、３２はディップスイッチＶ、３３はディップスイッチＶＩ、３４はディップスイッチＶＩＩ、３５はディップスイッチＶＩＩＩ、３６はズーム操作用コントロールアクセサリ、３７は２０ピンコネクター、３８はズームリモート操作スイッチ、３９はズームトラックテレ位置調整リモートボリューム、４０はズームトラックワイド位置調整リモートボリューム、４１はズームトラック機能有効／無効切替リモートスイッチ、４２はズームトラック有効インジケーターである。
【０００４】
尚、レンズ鏡胴２の内部構成については図示されていないが、レンズ鏡胴２内には、前方から順に、固定フォーカスレンズ、移動フォーカスレンズ、ズームレンズ、アイリス、およびリレーレンズ等が設けられ、その後方に、エクステンダーが配置される。そして、フォーカスリング４を回動することにより移動フォーカスレンズが光軸に沿って前後移動してフォーカス調整が行われ、ズームリング５を回動することにより、ズームレンズが光軸に沿って前後移動してズーム調整が行われる。また、アイリスリング６を回動することにより、アイリスの絞り径が調整されるようになっている。駆動ユニット３はレンズ鏡胴２の側部に取り付けられる。駆動ユニット３内には、図示せぬフォーカス駆動用モータが配置され、このフォーカス駆動用モータは、図示せぬギヤ伝達機構を介して前記フォーカスリング４と噛み合い、フォーカスリング４を回転駆動する。なお、駆動ユニット３にフォーカス駆動用モータが搭載されていないものもあり、本実施例の場合にはフォーカス駆動用モータが搭載されていなくても良い。また、駆動ユニット３内にズーム駆動用モータが配置され、このこのズーム駆動用モータは、図示せぬギヤ伝達機構を介して前記ズームリング５と噛み合い、ズームリング５を回転駆動する。同様に、駆動ユニット３内には、図示せぬアイリス駆動用モータが配置され、このアイリス駆動用モータは図示せぬギヤ伝達機構を介して前記アイリスリング６と噛み合い、アイリスリング６を回転駆動する。
【０００５】
ズーム操作スイッチ１２は中立位置を基準に揺動自在に設置され、ズーム操作スイッチ１２をテレ側またはワイド側に押圧操作すると、前記ズームリング５がテレ側またはワイド側に回動するようになっている。また、ズーム操作スイッチ１２の押し込み量（操作量）によってズーム駆動スピードを調整することができ、その押し込み量が大きいほど、ズーム駆動スピードは高速になる。また、フレームプリセットスイッチ９は押圧動作により予め記憶したズームポジションへのズーム動作を開始する。また、この際のズーム駆動スピードはスピードモード切替レバー８を切替えることによって、ズーム駆動が可能な最高スピードもしくは予め設定したズーム駆動スピードの切り替え可能である。また、送り返しスイッチ１１がＯＮされると、リターンビデオをビューファインダー上に表示する。また、アイリス操作切替スイッチ１３を切替えることによってアイリス操作をマニュアルまたはサーボに切替える。また、アイリス瞬時オートスイッチ１４をＯＮしている間、アイリス操作がサーボに切り替わる。
【０００６】
また、メモリースイッチ１０とシャトルショットスイッチ２５、フレームプリセットスイッチ９またはズーム操作スイッチ１２と同時に操作することで、設定ズームポジションやズーム駆動スピードの設定を行う。また、ズームリモート＆フォーカスリモート用２０ピンコネクタ１９，２０にはズームまたはフォーカス操作用コントロールアクセサリ（２０ピン）を接続する。また、フォーカス、サーボ／マニュアル切替ノブ１８を切替ることによって、フォーカス操作をマニュアルまたはサーボに切替える。また、ズームリモート用８ピンコネクタ２１にはズーム操作用コントロールアクセサリ（８ピン）を接続する。また、ズームスピード調整ボリュウム２２は、ズームシーソ操作スイッチ１２でズーム操作を行うとき、ズーム全域の速度を調整する。また、ズームサーボ／マニュアル切替ノブ２３を切替えることにより、ズーム操作をマニュアルまたはサーボに切替る。また、マクロボタン２４は、最至近距離より近い被写体に近づいて接写したい場合に使用する。また、エクステンダーレバー７の操作により、内蔵エクステンダーを操作する。また、フォーカススピード調整トリマー１５によってフォーカススピードを調整する。また、アイリスゲイン調整トリマー１６によってアイリスサーボゲインを調整する。また、ズームモード調整トリマー１７によって、ズームスピード調整ボリューム２２による変化分を調整する。
【０００７】
また、シャトルスイッチ２５のＯＮ／ＯＦＦに予めそれぞれ割り当て記憶したズーム位置にズームレンズを最高速で往復する。また、ディップスイッチ２８〜３４によって、ＶＴＲスイッチ２７への割り当て等の各種設定を行う。また、ディップスイッチ３５は設定項目の割り当ては無い。また、ＶＴＲスイッチ２７によってＶＴＲのスタート操作またはストップ操作を行う。また、ズームリモート操作スイッチ３８は中立位置を基準に揺動自在に設置され、ズームリモート操作スイッチ３８をテレ側またはワイド側に押圧操作すると、前記ズームリング５がテレ側またはワイド側に回動するようになっている。また、ズームリモート操作スイッチ３８の押し込み量（操作量）によってズーム駆動スピードを調整することができ、その押し込み量が大きいほど、ズームスピードは高速になる。ズーム操作用コントロールアクセサリ３６の２０ピンコネクタ３７を介することにより、ズームリモート＆フォーカスリモート用２０ピンコネクタ１９，２０に接続し、ズーム操作用コントロールアクセサリ３６のズームトラックテレ位置調整リモートボリューム３９を操作することによって、ズームトラックテレ位置を調整し、ズームトラックワイド位置調整リモートボリューム４０を操作することによって、ズームトラックワイド位置を調整し、結果としてズームレンズの駆動範囲を設定できる。また、ズーム操作用コントロールアクセサリ３６のズームトラック機能有効／無効切替リモートスイッチ４１を操作することにより、ズームトラック機能を有効または無効に切り替えることができる。さらに、ズームトラック機能の有効または無効の状態はズーム操作用コントロールアクセサリ３６に搭載されたズームトラック有効インジケーター４２によって確認することができる。
【特許文献１】特開２０００−２８４１６４号公報
【発明の開示】
【発明が解決しようとする課題】
【０００８】
しかしながら、上記従来例では、ズームトラック位置の設定が駆動ユニット単体で行うことができないため、以下のような欠点があった。
【０００９】
すなわち、ズームトラック機能を利用するためには、ズーム操作用コントロールアクセサリ（２０ピン）が必要であるため、携帯性が悪く、特に報道等で三脚を使用しないで肩に担いで撮影する際はズームトラック機能の利用が非常に困難であるという問題点があった。また、駆動ユニットには上述したように多数の操作スイッチがあり、新たにズームトラック位置調整用ボリュームやズームトラック機能切替スイッチを取り付けるスペースが限られていて非常に困難であるという問題があった。また、記憶したズームトラック位置を消去するためには、テレ端およびワイド端をズームトラック位置として再度メモリーを行う必要があり、非常に手間が掛かっていた。また、ズームトラック機能の有効または無効の状態はズーム操作用コントロールアクセサリ（２０ピン）に搭載されたズームトラック有効インジケーターのみでしか確認できず、駆動ユニット単体でズームトラック機能を実現した際には確認の手段がなかった。
【００１０】
本出願に係わる第一の発明の目的は、新規に操作スイッチを追加することなく、かつ必要最小限の操作で、駆動ユニット単体でのズームトラック機能を実現することを可能とすることである。
【００１１】
本出願に係わる第二の発明の目的は、ズームトラック位置の記憶内容の消去および有効と無効の切替を別々にかつ駆動ユニットの操作スイッチのみで必要最小限の操作によって実現することを可能とすることである。
【００１２】
本出願に係わる第三の発明の目的は、ズームトラック機能の有効または無効に切り替わることの確認を駆動ユニットに新規にインジケーターを搭載せずに実現可能とすることである。
【課題を解決するための手段】
【００１３】
上記目的を達成するために、第一の発明は、テレ端からワイド端まで駆動するズームレンズと、前記ズームレンズの駆動範囲を前記テレ端の内側の第１の駆動端又は／及び前記ワイド端の内側の第２の駆動端に制限する駆動範囲制限機能の有効及び無効を切換える駆動範囲切換手段と、を有するレンズ装置であって、
前記駆動範囲切換手段で前記駆動範囲制限機能が有効に切換わった際、前記ズームレンズを自動的に第１の駆動端又は第２の駆動端に駆動する構成とした。
【００１４】
第二の発明は、テレ端からワイド端まで駆動するズームレンズと、前記ズームレンズの駆動範囲を前記テレ端の内側の第１の駆動端又は／及び前記ワイド端の内側の第２の駆動端に制限する駆動範囲制限機能の有効及び無効を切換える駆動範囲切換手段と、を有するレンズ装置であって、
前記駆動範囲切換手段で前記駆動範囲制限機能が無効に切換わった際、前記ズームレンズを自動的に第１の駆動端又は第２の駆動端に駆動する構成とした。
【発明の効果】
【００１５】
第一の発明は、テレ端からワイド端まで駆動するズームレンズと、前記ズームレンズの駆動範囲を前記テレ端の内側の第１の駆動端又は／及び前記ワイド端の内側の第２の駆動端に制限する駆動範囲制限機能の有効及び無効を切換える駆動範囲切換手段と、を有するレンズ装置であって、
前記駆動範囲切換手段で前記駆動範囲制限機能が有効に切換わった際、前記ズームレンズを自動的に第１の駆動端又は第２の駆動端に駆動する構成とすることで、駆動範囲制限機能の有効を撮影者に示せる効果得られる。
【００１６】
第二の発明は、テレ端からワイド端まで駆動するズームレンズと、前記ズームレンズの駆動範囲を前記テレ端の内側の第１の駆動端又は／及び前記ワイド端の内側の第２の駆動端に制限する駆動範囲制限機能の有効及び無効を切換える駆動範囲切換手段と、を有するレンズ装置であって、
前記駆動範囲切換手段で前記駆動範囲制限機能が無効に切換わった際、前記ズームレンズを自動的に第１の駆動端又は第２の駆動端に駆動する構成とすることで、駆動範囲制限機能の無効を撮影者に示せる効果得られる。
【発明を実施するための最良の形態】
【００１７】
上記目的を達成するため、本出願に係わる第一の発明は、ズームレンズおよびアイリスを有する光学装置、前記ズームレンズに設置された駆動手段、前記駆動手段を制御することにより前記ズームレンズを操作する操作手段、前記アイリスをオート制御に切替えるアイリス瞬時オート手段、前記ズームレンズの位置を記憶することを指示するメモリー手段、各種設定の変更および割り当てを行う機能割り当て手段、を有する光学装置において、ズームレンズの位置がテレ端とワイド端との中点を基準として、テレ領域に位置するときとワイド領域に位置するときとで異なるズームトラック位置の記憶処理を有し、かつ、メモリースイッチとアイリス瞬時オートスイッチを同時に操作することをズームトラック記憶処理開始のトリガーとすることにより、新規に操作スイッチを設けることなく、駆動ユニット単体でズームトラック位置の設定操作を実現することを可能としたことを特徴とするものである。
【００１８】
本出願に係わる第二の発明は、ズームレンズおよびアイリスを有する光学装置、前記ズームレンズに設置された駆動手段、前記駆動手段を制御することにより前記ズームレンズを操作する操作手段、前記アイリスをオート制御に切替えるアイリス瞬時オート手段、前記ズームレンズの位置を記憶することを指示するメモリー手段、各種設定の変更および割り当てを行う機能割り当て手段、を有する光学装置において、ディップスイッチＶＩＩＩにズームトラック機能のＯＮ／ＯＦＦおよびズームトラック記憶位置の消去処理を割り当て、メモリースイッチとアイリス瞬時オートスイッチを同時に一定時間以上ＯＮの状態に保つことをトリガーとして、ズームトラック機能の有効と無効を切替える処理を有することにより、新規に操作スイッチを設けることなく、ズームトラック機能の有効および無効の切替とズームトラック記憶位置の消去を別々に行うことを可能としたことを特徴とするものである。
【００１９】
本出願に係わる第三の発明は、ズームレンズおよびアイリスを有する光学装置、前記ズームレンズに設置された駆動手段、前記駆動手段を制御することにより前記ズームレンズを操作する操作手段、前記アイリスをオート制御に切替えるアイリス瞬時オート手段、前記ズームレンズの位置を記憶することを指示するメモリー手段、各種設定の変更および割り当てを行う機能割り当て手段、を有する光学装置において、ズームトラック機能が有効に切り替わったときにはズームレンズをズームトラック記憶位置へ駆動し、ズームトラック機能が無効に切り替わったときにはズームレンズを端位置まで駆動することで、新規にインジケーターを設けることなくズームトラック機能の有効または無効へ切り替わった合図とすることを特徴とするものである。
【実施例１】
【００２０】
中心基準のメモリー方法
以下、本発明の実施例を図１〜３、図９〜１２に基づき説明する。
【００２１】
図１はズームレンズの駆動範囲を表した図であり、４２はテレ端、４３はワイド端、４４はテレ端４２とワイド端の中点、４５はテレ端４２から中点までのテレ領域、４６はワイド端４３から中点４４までのワイド領域である。
【００２２】
処理はズームトラック位置の記憶処理とズームレンズ駆動処理とに分けることができる。まず、図１および図９を用いて、ズームトラック記憶処理の流れを説明する。メモリースイッチ１０とアイリス瞬時オートスイッチ１４が同時にＯＮされると、そのときのズームレンズがテレ領域４にあるときには、ズームトラックテレ位置として、テレ領域４以外に位置するときには、ズームトラックワイド位置としてＥＥＰＲＯＭを始めとした不揮発性記憶領域に記憶する。
【００２３】
次に、ズームトラックの駆動処理の流れを説明する。ズーム操作スイッチ１０をテレ側に操作すると、ズームレンズがズームトラックテレ位置に達するまでズームレンズを駆動し、ズーム操作スイッチ１０をワイド側に操作すると、ズームレンズがズームトラックワイド位置に達するまでズームレンズを駆動する。
【００２４】
つまり、本実施例では、メモリースイッチ１０とアイリス瞬時オートスイッチ１４を同時に操作することによってテレ方向、ワイド方向の２種類のズームトラック位置をＥＥＰＲＯＭを始めとした不揮発性記憶領域に記憶することができる。
【００２５】
図２は、上記記憶処理におけるズームトラック位置の記憶処理制御手順を示すフローチャートである。同図中、ｓｔｅｐ１０１ではメモリースイッチ１０がＯＮされたとき、ｓｔｅｐ１０２へ進み、ＯＮされないとき図３に示すズームトラックレンズ駆動処理へ進む。ｓｔｅｐ１０２ではアイリス瞬時オートスイッチ１４がＯＮされたときｓｔｅｐ１０３へ進み、ＯＮされないとき図３に示すズームトラックレンズ駆動処理へ進む。ｓｔｅｐ１０３ではズームレンズがテレ領域４に位置するときにはｓｔｅｐ１０４へ進み、それ以外に位置するときにはｓｔｅｐ１０５へ進む。ｓｔｅｐ１０４ではズームレンズの位置をズームトラックテレ位置として記憶し、ｓｔｅｐ１０５ではズームレンズの位置をズームトラックワイド位置としてＥＥＰＲＯＭを始めとした不揮発性記憶領域に記憶する。上記処理終了後に、図３に示すズームトラックレンズ駆動処理へ進む。
【００２６】
次に図３を用いて、ズームトラックレンズ駆動処理手順を説明する。ｓｔｅｐ２０１ではズームサーボ／マニュアル切替ノブ２３がサーボに設定されているときｓｔｅｐ２０２へ進み、ズームサーボ／マニュアル切替ノブ２３がサーボに設定されていないとき、ｓｔｅｐ２０７へ進む。ｓｔｅｐ２０２ではズームレンズがズームトラック設定範囲内のときにはｓｔｅｐ２０３へ進み、ズームレンズがズームトラック設定範囲内にないときにはｓｔｅｐ２０７へ進む。ズーム操作スイッチ１０がテレ側に操作されたときｓｔｅｐ２０４へ進み、ズーム操作スイッチ１０がテレ側に操作されないときｓｔｅｐ２０５へ進む。ｓｔｅｐ２０４では、ズームレンズをテレ方向に駆動した後、ｓｔｅｐ２０７へ進む。ｓｔｅｐ２０５ではズーム操作スイッチ１０がワイド側に操作されたときｓｔｅｐ２０６へ進み、ズーム操作スイッチ１０がワイド側に操作されないときにはｓｔｅｐ２０７へ進む。ｓｔｅｐ２０６ではズームレンズをワイド方向に駆動した後、ｓｔｅｐ２０７へ進む。ｓｔｅｐ２０７ではズームレンズの駆動を停止し、ｓｔｅｐ２０７の次には図２で示す、ズームトラック位置記憶処理を開始する。
【００２７】
このようにして、ズームレンズの位置をテレ端とワイド端の中点３を基準にして、テレ側およびワイド側の２種類の記憶処理を設け、メモリースイッチ１０とアイリス瞬時オートスイッチ１４を同時に操作することによって、新規にスイッチを追加せずにテレ側とワイド側の２つのズームトラック位置の記憶を行うことができる。
【００２８】
なお、本実施例ではズームレンズが中点４４に位置するときにはズームトラックワイド位置としてＥＥＰＲＯＭを始めとした不揮発性記憶領域に記憶することとしたが、ズームトラックテレ位置としてＥＥＰＲＯＭを始めとした不揮発性記憶領域に記憶することとするか、またはズームトラック位置記憶処理から抜けて、ズームトラックレンズ駆動処理へ進む処理としてもよい。
【００２９】
また、本実施例ではズームレンズの位置によってテレ側とワイド側の２種類のズームトラック位置の記憶処理を使い分けたが、メモリースイッチ１０を一定時間ＯＮの状態を保持したり、連続的に複数回ＯＮの状態にしたりといったスイッチの操作方法によって、２種類の記憶処理を使い分けても良い。
【００３０】
以上のような構成をとることで、撮影者は撮影前にズームトラックの位置の設定をひとつのメモリースイッチ１０のみで行うことができ、結果として操作が容易となり、また、他の操作に集中することができる。さらに、スイッチの設置スペースや部品コストの削減にもつながり、結果として、製品のコストパフォーマンスの向上が可能となる。
【実施例２】
【００３１】
メモリー初期化と有効・無効方法
以下、本発明の実施例を図１及び、図４、５、図９〜１２にもとづき説明する。
【００３２】
ディップスイッチＶＩＩＩ３５がＯＮされると、ズームトラック機能がＯＮとなり、ディップスイッチＶＩＩＩ３５がＯＦＦされると、ズームトラック機能がＯＦＦされ、ズームトラック位置の記憶内容が消去される。一方、メモリースイッチ１０をＯＮにした状態とアイリス瞬時オートスイッチ１４をＯＮにした状態を同時に一定時間以上保持した場合、ズームトラック機能が有効のときには無効となり、ズームトラック機能が無効のときには有効となる。
【００３３】
つまり、本実施例では、ズームトラック機能の有効および無効の切り替えと、ズームトラック位置の記憶内容の消去の設定を行うことができる。
【００３４】
第一実施例と同様に、処理はズームトラック位置の記憶処理とズームレンズ駆動処理とに分けることができる。まず、図１と図４を用いて、各ブロックにおける記憶処理の流れを説明する。ディップスイッチＶＩＩＩ３５がＯＦＦされると、ズームトラック機能がＯＦＦされ、ズームトラック位置の記憶内容が消去される。ディップスイッチＶＩＩＩ３５がＯＮされた状態で、メモリースイッチ１０とアイリス瞬時オートスイッチ１２がＯＮの状態を一定時間以上保つと、ズームトラック機能が有効のときには無効となり、ズームトラック機能が無効のときには有効となる。また、メモリースイッチ１０とアイリス瞬時オートスイッチ１４がＯＮされてから、一定時間以内にメモリースイッチ１０とアイリス瞬時オートスイッチ１４の両方がＯＦＦされると、ズームレンズの位置がテレ領域のときには、そのときのズームレンズの位置をズームトラックテレ位置として記憶し、ズームレンズの位置がテレ領域以外のときには、そのときのズームレンズの位置をズームトラックワイド位置として記憶する。
【００３５】
つまり、本実施例では、テレ端およびワイド端でズームトラック位置の再設定や、電源の切替を行わずに、ズームトラック位置の初期化を行うことができる。また、ズームトラック機能の有効および無効の切替をズームトラック位置の初期化を行わずに実現できる。
【００３６】
図４は、上記記憶処理におけるズームトラック位置の記憶処理制御手順を示すフローチャートである。同図中、ｓｔｅｐ３０１ではディップスイッチＶＩＩＩ３５がＯＮされたときｓｔｅｐ３０２へ進み、ディップスイッチＶＩＩＩ３５がＯＮされないときｓｔｅｐ３０３へ進む。ｓｔｅｐ３０３ではズームトラック位置の記憶内容を消去した後、図５に示すズームトラックレンズ駆動処理へ進む。ｓｔｅｐ３０２ではメモリースイッチ１０とアイリス瞬時オートスイッチ１４の両方がＯＮされたときｓｔｅｐ３０４へ進み、メモリースイッチ１０とアイリス瞬時オートスイッチ１４の両方がＯＮされないとき図５に示すズームトラックレンズ駆動処理へ進む。ｓｔｅｐ３０４ではタイマーを初期化し、カウントを開始した後、ｓｔｅｐ３０５へ進む。ｓｔｅｐ３０５ではタイマーが一定時間以上経過していた場合ｓｔｅｐ３０７へ進み、タイマーが一定時間未満のときにはｓｔｅｐ３０６へ進む。ｓｔｅｐ３０６では、メモリースイッチ１０とアイリス瞬時オートスイッチ１４がＯＮされているときｓｔｅｐ３０５へ進み、メモリースイッチ１０とアイリス瞬時オートスイッチ１４の両方がＯＮされていないときにはｓｔｅｐ３０８へ進む。ｓｔｅｐ３０８ではズームレンズの位置がテレ領域にあるときにはｓｔｅｐ３０９へ進み、ズームレンズの位置がテレ領域以外のときにはｓｔｅｐ３１０へ進む。ｓｔｅｐ３０９ではそのときのズームレンズの位置をズームトラックテレ位置として記憶する。ｓｔｅｐ３１０では、そのときのズームレンズの位置をズームトラックワイド位置として記憶する。ｓｔｅｐ３０７ではズームトラック機能が有効のときにはｓｔｅｐ３１１へ進み、ズームトラック機能が無効のときにはｓｔｅｐ３１２へ進む。ｓｔｅｐ３１１ではズームトラック機能を無効に切替える。ｓｔｅｐ３１２ではズームトラック機能を有効に切替える。上記処理終了後に図５に示すズーム駆動処理へ進む。
【００３７】
図５は、上記ズームトラックレンズ駆動処理手順を示すフローチャートである。同図中、ｓｔｅｐ４０１ではズームサーボ／マニュアル切替ノブ２３がサーボに設定されているときにはｓｔｅｐ４０２へ進み、ズームサーボ／マニュアル切替ノブ２３がサーボに設定されていないときにはｓｔｅｐ４０９へ進む。ｓｔｅｐ４０２ではディップスイッチＶＩＩＩ３５がＯＮのときｓｔｅｐ４０３へ進み、ディップスイッチＶＩＩＩ３５がＯＮでないときｓｔｅｐ４０９へ進む。ｓｔｅｐ４０３ではズームトラック機能が有効のときにはｓｔｅｐ４０４へ進み、ズームトラック機能が有効でないときにはｓｔｅｐ４０９へ進む。ｓｔｅｐ４０４ではズームレンズがズームトラック設定範囲内のときにはｓｔｅｐ４０５へ進み、ズームレンズがズームトラック設定範囲内にないときにはｓｔｅｐ４０９へ進む。ｓｔｅｐ４０５ではズーム操作スイッチ１０をテレ側に操作したときにはｓｔｅｐ４０６へ進み、ズーム操作スイッチ１０をテレ側に操作しないときにはｓｔｅｐ４０７へ進む。ｓｔｅｐ４０６ではズームレンズをテレ方向に駆動する。ｓｔｅｐ４０７ではズーム操作スイッチ１０をワイド側に操作したときにはｓｔｅｐ４０８へ進み、ズーム操作スイッチ１０をワイド側に操作しないときにはｓｔｅｐ４０９へ進む。ｓｔｅｐ４０８ではズームレンズをワイド方向に駆動した後、ｓｔｅｐ４０９へ進む。ｓｔｅｐ４０９ではズームレンズの駆動を停止し、図４に示すズームトラック位置記憶処理へ進む。
【００３８】
このようにして、ディップスイッチＶＩＩＩ３５にズームトラック記憶位置を消去する機能を割り当て、メモリースイッチ１０とアイリス瞬時オートスイッチ１４が同時に一定時間以上ＯＮの状態が保持されることをトリガーとしてズームトラック機能の有効と無効を切替える機能を追加することによって、新規にスイッチを追加せずに、ズームトラック位置の消去とズームトラック機能の有効と無効の切替を別々に行うことができる。
【００３９】
なお、本実施例ではメモリースイッチＶＩＩＩ３５とアイリス瞬時オートスイッチ１４が同時に一定時間以上ＯＮされることによって、テレ側とワイド側の２つのズームトラック位置を同時に初期化しているが、このときのズームレンズの位置がテレ領域とワイド領域のどちらに位置するかに依って、一方のみを消去することを可能にしても良い。
【００４０】
以上のような構成をとることで、撮影者は撮影前にズームトラックの位置の記憶内容の消去をズームトラックの位置の再設定をせずに行うことができ、また、ズームトラック機能の有効と無効の切替をズームトラック位置の記憶内容を保持した状態で行うことが可能となることで結果として操作が容易となり、また、他の操作に集中することができる。
【実施例３】
【００４１】
有効無効インジケーター
以下、本発明の実施例を図１及び、図６〜８，９にもとづき説明する。
【００４２】
図１は、第１，２実施例と同様の構成であり、同様の動作を行っているので説明を省略する。また、基本的な操作は第２実施例と同様であるので説明を省略する。ズームトラック機能が有効の状態でメモリースイッチ１０をＯＮにした状態とアイリス瞬時オートスイッチ１４をＯＮにした状態を同時に一定時間以上保持した場合、ズームトラック機能が無効となり、同時にズームレンズがテレ領域に位置するときにはテレ端までズームレンズを駆動し、テレ領域に位置しないときにはワイド端までズームレンズを駆動する。また、ズームトラック機能が無効の状態でメモリースイッチ１０をＯＮにした状態とアイリス瞬時オートスイッチ１４をＯＮにした状態を同時に一定時間以上保持した場合、ズームトラック機能が有効となり、同時にズームレンズがテレ領域に位置するときにはズームトラックテレ位置までズームレンズを駆動し、ズームレンズがテレ領域に位置しないときにはズームトラックワイド位置までズームレンズを駆動する。
【００４３】
つまり、本実施例では、ズームトラック機能の有効および無効の切替の際に、ズームトラックテレ位置およびズームトラックワイド位置または、ズームレンズをテレ端およびワイド端までズームレンズを駆動することによって、ズームトラック機能が有効または無効に切り替わった合図を示すことができる。
【００４４】
図６は、本実施例におけるズームトラック位置記憶処理手順を示すフローチャートである。同図中、ｓｔｅｐ５０１〜ｓｔｅｐ５１０はｓｔｅｐ３０１〜ｓｔｅｐ３１０と同様の処理であるので説明を省略する。ｓｔｅｐ５１１ではズームトラック機能を無効とした後、図７に示すズームトラック機能無効合図処理へ進む。ｓｔｅｐ５１２ではズームトラック機能を有効とした後、図８に示すズームトラック機能有効合図処理へ進む。
【００４５】
本実施例におけるズームトラック機能無効合図処理手順を示すフローチャートである。ｓｔｅｐ６０１ではズームレンズがテレ領域に位置するときにはｓｔｅｐ６０２へ進み、ズームレンズがテレ領域に位置しないときにはｓｔｅｐ６０３へ進む。ｓｔｅｐ６０２では、ズームレンズをテレ端へ駆動した後、図５に示すズームレンズ駆動処理へ進む。ｓｔｅｐ６０３では、ズームレンズをワイド端へ駆動した後、図５に示すズームレンズ駆動処理へ進む。
【００４６】
図８は、本実施例におけるズームトラック機能有効合図処理手順を示すフローチャートである。同図中、ｓｔｅｐ７０１ではズームレンズがテレ領域に位置するときにはｓｔｅｐ７０２へ進み、ズームレンズがテレ領域に位置しないときにはｓｔｅｐ７０３へ進む。ｓｔｅｐ７０２ではズームレンズをズームトラックテレ位置へ駆動した後、図５に示すズーム駆動処理へ進む。ｓｔｅｐ７０３ではズームレンズをズームトラックワイド位置へ駆動した後、図５に示すズーム駆動処理へ進む。
【００４７】
このようにして、ズームトラック機能の有効および無効の切替が行われたときに、ズームトラックテレ位置およびズームトラックワイド位置または、ズームレンズをテレ端およびワイド端までズームレンズを駆動することによって、ズームトラック機能が有効または無効に切り替わった合図を示すことによって、ズームトラック機能の有効および無効の切替が行われたことを視覚的に確認することができる。
【００４８】
なお、本実施例では、ズームレンズの位置に応じて、ズームレンズの駆動位置をズームトラックテレ位置およびズームトラックワイド位置または、テレ端およびワイド端の何れかにズームレンズを駆動しているが、ズームレンズの位置に関わらず、駆動する方向を一意に固定することで、ズームトラック機能の有効および無効の切替状況を視覚的に確認することを可能としても良い。
【００４９】
以上のような構成をとることで、撮影者は新規にインジケーターを設置することなく、ズームトラック機能が有効または無効に切り替わったことを確認することが可能となり、且つ、ズームトラック機能を有効に切替えた際、ズームレンズがズームトラック設定範囲外に位置するときに、誤ってズームトラック設定範囲外で撮影を開始することを防止し、且つズームレンズを手動でズームトラック設定位置の内側に移動する必要がなくなり、結果として、結果として高速な焦点検出エリアの切替が可能となり、また、他の操作に集中することが可能となる。
【実施例４】
【００５０】
実施例３では、ズームトラック位置が記憶されている、記憶されていないに関わらず、ズームトラック有効合図処理において、ズームレンズがテレ領域に位置している場合には、テレ端、もしくはズームトラックテレ位置にズームレンズを駆動し、また、ズームレンズがテレ領域に位置していない場合には、ワイド端、もしくはズームトラックワイド位置にズームレンズを駆動する。このため、例えばズームトラック位置記憶がテレ位置のみの設定されていた場合、ズームレンズがテレ領域に位置していない時のズームトラック有効合図処理を行うと、ズームレンズはワイド端に移動し、ズームトラック有効合図処理と、ズームトラック無効合図処理後のズームレンズの移動は同様となり、ズームトラックが有効であるのか、無効であるのかを判断できない。
【００５１】
そこで、ズームトラック位置記憶がテレ位置またはワイド位置のどちらか一方のみされていた場合には、ズームトラック有効合図処理をズームレンズの位置に関わらず、設定されているズームトラック位置に移動することにより、ズームトラック機能が有効であるのか、無効であるのかを視覚的に確認することができる。
【００５２】
以下、本発明の実施例を図１及び、図６、７、９、１４に基づき説明する。
【００５３】
図１、６、７、９は、第３実施例と同様の構成であり、同様の動作を行っているので説明を省略する。
【００５４】
図１４は、本実施例におけるズームトラック機能有効合図処理手順を示すフローチャートである。同図中、ｓｔｅｐ８０１ではズームトラック位置の記憶がテレ位置、ワイド位置のどちらもされていないかを判断し、ズームトラック位置の記憶がテレ位置、ワイド位置のどちらもされていない場合にはｓｔｅｐ８０２に進み、ズームレンズがテレ領域に位置しているかの判断を行う。ｓｔｅｐ８０２でズームレンズがテレ領域に位置していないと判断された場合には、ｓｔｅｐ８０３に進み、ズームレンズをワイド端へ移動する。ｓｔｅｐ８０２でズームレンズがテレ領域に位置していると判断された場合には、ｓｔｅｐ８０４に進み、ズームレンズをテレ端へ移動する。その後、ズーム駆動処理を行う。ｓｔｅｐ８０１において、ズームトラック位置の記憶がテレ位置、ワイド位置のどちらもされていないことはないと判断された場合には、ｓｔｅｐ８０５に進み、ズームトラック位置の記憶がテレ位置、ワイド位置のどちらか一方しかされていないかを判断し、ズームトラック位置の記憶がテレ位置、ワイド位置のどちらか一方しかされていない場合にはｓｔｅｐ８０６に進み、ズームトラック位置の記憶がテレ位置であるかの判断を行う。ｓｔｅｐ８０６において、ズームトラック位置の記憶がテレ位置でない場合には、ｓｔｅｐ８０７に進み、ズームレンズをズームトラックワイド位置へ移動する。ｓｔｅｐ８０６において、ズームトラック位置の記憶がテレ位置である場合には、ｓｔｅｐ８０８に進み、ズームレンズをズームトラックテレ位置へ移動する。その後、ズーム駆動処理を行う。ｓｔｅｐ８０５において、ズームトラック位置の記憶がテレ位置、ワイド位置のどちらか一方しかされていないことはないと判断された場合には、ｓｔｅｐ８０９に進み、ズームレンズがテレ領域に位置しているかを判断し、ズームレンズがテレ領域に位置していないと判断された場合には、ｓｔｅｐ８１０に進み、ズームレンズをズームトラックワイド位置へ移動する。Ｓｔｅｐ８０９において、ズームレンズがテレ領域に位置していると判断された場合には、ｓｔｅｐ８１１に進み、ズームレンズをズームトラックテレ位置へ移動する。その後、ズーム駆動処理を移動する。
【００５５】
このようにして、ズームトラック機能の有効の切替が行われたときに、ズームトラック位置記憶がテレ位置またはワイド位置のどちらか一方のみされていた場合には、ズームトラック有効合図処理をズームレンズの位置に関わらず、設定されているズームトラック位置に移動することにより、ズームトラック機能が有効であるのか、無効であるのかを視覚的に確認することができる。
【００５６】
以上のような構成をとることで、撮影者は新規にインジケータを設置することなく、ズームトラック機能が有効または無効に切り替わったことを確認することが可能となり、且つ、ズームトラック機能を有効に切替えた際、ズームレンズがズームトラック設定範囲外に位置するときに、誤ってズームトラック設定範囲外で撮影を開始することを防止し、且つズームレンズを手動でズームトラック設定位置の内側に移動する必要がなくなり、結果として、結果として高速な焦点検出エリアの切換えが可能となり、また、他の操作に集中することが可能となる。
【図面の簡単な説明】
【００５７】
【図１】本発明の実施例１〜３のズームレンズ駆動範囲図
【図２】本発明の第１実施例１のズームトラック位置記憶処理フローチャート
【図３】本発明の第１実施例１のズームトラックレンズ駆動処理フローチャート
【図４】本発明の実施例２のズームトラック位置記憶処理フローチャート
【図５】本発明の実施例２のズームトラックレンズ駆動処理フローチャート
【図６】本発明の実施例３のズームトラック位置記憶処理フローチャート
【図７】本発明の実施例３のズームトラック機能無効合図処理フローチャート
【図８】本発明の実施例３のズームトラック機能有効合図処理フローチャート
【図９】本発明の実施例１〜３のズームレンズ上面図
【図１０】本発明の実施例１〜３のズームレンズ側面図
【図１１】本発明の実施例１〜３のズームレンズ後面図
【図１２】本発明の実施例２〜３のディップスイッチブロック図
【図１３】本発明の従来例のズーム操作用コントロールアクセサリ側面図
【図１４】本発明の実施例４のズームトラック機能有効合図処理フローチャート
【符号の説明】
【００５８】
１  ＥＮＧカメラ等の放送用テレビカメラに用いられるズームレンズ
２  レンズ鏡胴
３  駆動ユニット
４  フォーカスリング
５  ズームリング
６  アイリスリング
７  エクステンダーレバー
８  スピードモード切替レバー
９  フレームスイッチ
１０  メモリースイッチ
１１  送り返しスイッチ
１２  ズーム操作スイッチ
１３  アイリス操作切替スイッチ
１４  アイリス瞬時オートスイッチ
１５  フォーカススピード調整トリマー
１６  アイリスゲイン調整トリマー
１７  ズームモード調整トリマー
１８  フォーカス、サーボ／マニュアル切替ノブ
１９，２０  ズームリモート＆フォーカスリモート用２０ピンコネクター
２１  ズームリモート８ピンコネクター
２２  ズームスピード調整ボリューム
２３  ズームサーボ／マニュアル切替ノブ
２４  マクロボタン
２５  シャトルショットスイッチ
２６  ディップスイッチユニット
２７  ＶＴＲスイッチ
２８  ディップスイッチＩ
２９  ディップスイッチＩＩ
３０  ディップスイッチＩＩＩ
３１  ディップスイッチＩＶ
３２  ディップスイッチＶ
３３  ディップスイッチＶＩ
３４  ディップスイッチＶＩＩ
３５  ディップスイッチＶＩＩＩ
３６  ズーム操作用コントロールアクセサリ
３７  ２０ピンコネクター
３８  ズームリモート操作スイッチ
３９  ズームトラックテレ位置調整リモートボリューム
４０  ズームトラックワイド位置調整リモートボリューム
４１  ズームトラック機能有効／無効切替リモートスイッチ
４２  ズームトラック有効インジケーター
【図１】
2005018035.tif 000003
【図２】
2005018035.tif 000004
【図３】
2005018035.tif 000005
【図４】
2005018035.tif 000006
【図５】
2005018035.tif 000007
【図６】
2005018035.tif 000008
【図７】
2005018035.tif 000009
【図８】
2005018035.tif 000010
【図９】
2005018035.tif 000011
【図１０】
2005018035.tif 000012
【図１１】
2005018035.tif 000013
【図１２】
2005018035.tif 000014
【図１３】
2005018035.tif 000015
【図１４】
2005018035.tif 000016